(57)【要約】      （修正有）【課題】特別な構造を用いることなく冷蔵庫内に設けられた発光装置における結露を防止する冷蔵庫を提供する。【解決手段】断熱箱体１１と、断熱箱体１１の内部を冷却する冷却器６１と、断熱箱体１１に設けられた開口部を開閉する扉２６と、扉２６の開閉を検出する扉センサと、断熱箱体１１の内部に設けられた発光装置２１，３５，８２と、発光装置２１，３５，８２を制御する制御部４７とを備える冷蔵庫１０において、制御部４７は、扉センサが扉２６の閉扉を検出している間に発光装置２１，３５，８２を点灯させて発光装置２１，３５，８２に生じる結露を防ぐ結露防止運転を実行する。【選択図】図２
2017072316.tif 000002
【特許請求の範囲】
【請求項１】
断熱箱体と、前記断熱箱体の内部を冷却する冷却器と、前記断熱箱体に設けられた開口部を開閉する扉と、前記扉の開閉を検出する扉センサと、前記断熱箱体の内部に設けられた発光装置と、前記発光装置を制御する制御部とを備える冷蔵庫において、
前記制御部は、前記扉センサが前記扉の閉扉を検出している間に前記発光装置を点灯させて前記発光装置に生じる結露を防ぐ結露防止運転を実行する冷蔵庫。
【請求項２】
前記扉は、前記断熱箱体にヒンジを介して回動自在に支持され、
前記発光装置は、前記扉の前記ヒンジ側に設けられている請求項１に記載の冷蔵庫。
【請求項３】
前記制御部は、前記扉センサが前記扉の閉扉を検出し、かつ、前記冷却器に付着した霜を融解する除霜運転中に前記結露防止運転を実行する請求項１又は２に記載の冷蔵庫。
【請求項４】
前記断熱箱体の外部の湿度を検出する庫外湿度センサを備え、
前記扉センサが前記扉の閉扉を検出し、かつ、前記庫外湿度センサが所定値以上の湿度を検出すると、前記制御部は、結露防止運転を実行する請求項１〜３のいずれか１項に記載の冷蔵庫
【請求項５】
前記断熱箱体の外部の湿度を検出する庫外湿度センサを備え、
前記庫外湿度センサで検出される湿度が高いほど前記制御部は、結露防止運転中における前記発光装置の発光量を大きくする請求項１〜４のいずれか１項に記載の冷蔵庫
【請求項６】
前記断熱箱体の外部の湿度を検出する庫外湿度センサと、前記断熱箱体の内部に複数の前記発光装置とを備え、
前記制御部は、前記庫外湿度センサで検出される湿度が、第１湿度より高いと全ての前記発光装置において前記結露防止運転を実行し、前記庫外湿度センサで検出される湿度が、前記第１湿度以下で、かつ、前記第１湿度より低い湿度の第２湿度より高いと一部の前記発光装置において前記結露防止運転を禁止し、前記庫外湿度センサで検出される湿度が、前記第２湿度以下であると全ての前記発光装置において前記結露防止運転を禁止する請求項１〜５のいずれか１項に記載の冷蔵庫。
【請求項７】
前記扉センサが前記扉の開放を所定時間以上継続して検出すると、前記制御部は、前記結露防止運転を禁止する請求項１〜６のいずれか１項に記載の冷蔵庫。
【発明の詳細な説明】
【技術分野】
【０００１】
本発明の実施形態は、冷蔵庫に関する。
【背景技術】
【０００２】
従来、冷蔵庫には、貯蔵室内を照らす照明装置や貯蔵室内を流通する空気を浄化（脱臭や除菌）する光触媒に励起光を照射する照射装置などの発光装置が冷蔵庫内に設けられている。このような発光装置は、貯蔵室や庫内空気を循環させるダクトなどに設けられており低温に冷却されている。そのため、開扉時のように高温の空気が庫内に流れ込むと、流れ込んだ空気との温度差によって発光装置に結露が生じるおそれがある。そこで、発光装置の裏面にヒータを設けて発光装置における結露を防止する冷蔵庫が提案されている（例えば、下記特許文献１）。
【先行技術文献】
【特許文献】
【０００３】
【特許文献１】特開２０１１−１９０９７９号公報
【発明の概要】
【発明が解決しようとする課題】
【０００４】
しかし、発光装置の裏面にヒータを設置する場合、余分な材料が必要となりコスト増となることに加え、当該ヒータの安全性を考慮して設計する必要があり開発工数がかかる。
【０００５】
そこで、特別な構造を用いることなく冷蔵庫内に設けられた発光装置における結露を防止する冷蔵庫を提供することを目的とする。
【課題を解決するための手段】
【０００６】
本実施形態に係る冷蔵庫は、断熱箱体と、前記断熱箱体の内部を冷却する冷却器と、前記断熱箱体に設けられた開口部を開閉する扉と、前記扉の開閉を検出する扉センサと、前記断熱箱体の内部に設けられた発光装置と、前記発光装置を制御する制御部とを備える冷蔵庫において、前記制御部は、前記扉センサが前記扉の閉扉を検出している間に前記発光装置を点灯させて前記発光装置に生じる結露を防ぐ結露防止運転を実行するものである。
【図面の簡単な説明】
【０００７】
【図１】本発明の一実施形態に係る冷蔵庫の開扉状態における斜視図である。
【図２】図１に示す冷蔵庫の断面図である。
【図３】図１に示す冷蔵庫の冷凍サイクルを示す図である。
【図４】図２の要部を拡大して示す断面図である。
【図５】図１に示す冷蔵庫の電気構成を示すブロック図である。
【発明を実施するための形態】
【０００８】
（第１実施形態）
以下、図面に基づき本発明の第１実施形態について説明する。
【０００９】
図１及び図２に示すように、本実施形態に係る冷蔵庫１０は、前面に開口部が形成された断熱箱体１１の内部に複数の貯蔵室を備える貯蔵空間が形成されている。断熱箱体１１は、鋼板からなる外箱１２と貯蔵空間を形成する内箱１３との間に真空断熱材や発泡断熱材など断熱部材１４を設けて構成されている。
【００１０】
内箱１３の内方に形成された貯蔵空間は、断熱仕切壁１５によって上方の冷蔵空間と下方の冷凍空間とに区画されている。冷蔵空間は、冷蔵温度（例えば、２〜３℃）に冷却される空間であって、内部がさらに仕切板１６によって上下に区画され、仕切板１６の上方に複数段の載置棚を設けた冷蔵室１７が設けられ、仕切板１６の下方に引出式の収納容器１８を配置する野菜室１９が設けられている。冷蔵室１７の背面には、冷蔵室１７の庫内温度を検出する冷蔵室温度センサ４９が設けられている。
【００１１】
冷蔵室１７の天井面を形成する断熱箱体１１の天井壁には、図２に示すように、庫内側から上方（つまり、断熱空間側）へ陥没する凹部２０が形成されており、その凹部２０内に第１発光装置２１が収納されている。第１発光装置２１は、ＬＥＤ等の光源が配設された回路基板を備え、冷蔵室１７内を上方より照明する。
【００１２】
断熱仕切壁１５を介して野菜室１９の下方に配置した冷凍空間は、冷凍温度（例えば、−１８℃以下）に冷却される空間であって、自動製氷機を備えた製氷室２２と上段冷凍室２３とが左右に併設され、その下方に下段冷凍室２４が設けられている。下段冷凍室２４の背面には、下段冷凍室２４の庫内温度を検出する冷凍室温度センサ５０が設けられている。
【００１３】
断熱箱体１１の内部に区画形成された貯蔵室１７，１９，２２，２３，２４の前面開口部は、扉２６，２７，２８，２９、３０によって開閉可能に閉塞されている。
【００１４】
冷蔵室１７の前面開口部は、断熱箱体１１の左右両側に設けられたヒンジ２５により回動自在に枢支された左右一対の回動式の冷蔵室扉２６により閉塞されている。
【００１５】
冷蔵室扉２６は、鋼板を所定形状に成型した外板３１と、合成樹脂を所定形状に成型した内板３２とを組み合わせ、これらの間に不図示の断熱材と、冷蔵庫１０の設置雰囲気の湿度を検出する湿度センサ３６と、冷蔵室１７内部を照明する第2発光装置３５とが配設されている。
【００１６】
内板３２には、冷蔵室扉２６の閉扉時に冷蔵室１７へ向けて後方へ突出するスロート部３３が、内板３２の周縁部を取り囲む矩形枠状に突出している。矩形枠状に設けられたスロート部３３によって囲まれた空間の内側にはドアポケット３４が設けられている。
【００１７】
スロート部３３のヒンジ２５側には、冷蔵室扉２６の開扉時に冷蔵室１７の前面開口部の前方より冷蔵室１７内を照明する第２発光装置３５が設けられている。第２発光装置３５は、ＬＥＤ等の光源が配設された回路基板を備え、内板３２の周縁部を取り囲むように設けられたスロート部３３の外側に向けて光源が光を放出するように設けられており、図１及び図２に示すような冷蔵室扉２６の開扉状態において、前面開口部の前方より冷蔵室１７へ向けて光を放出する。
【００１８】
野菜室１９、製氷室２２、上段冷凍室２３及び下段冷凍室２４の前面開口部は、引き出し式の野菜室扉２７，製氷室扉２８，上段冷凍室扉２９，及び下段冷凍室扉３０によりそれぞれ閉塞されている。
【００１９】
また、貯蔵室１７，１９，２２，２３，２４の前面開口部を閉塞する扉２６，２７，２８，２９、３０には、押しこみ式の扉センサ２６ａ，２７ａ、２８ａ、２９ａ、３０ａが設けられており、冷蔵庫１０の各扉が開放状態にあるか閉塞状態にあるかを検知する。
【００２０】
冷蔵室１７及び野菜室１９の後部には、これらの貯蔵室内の空気を冷却する冷蔵冷却器６１と冷蔵冷却器６１で冷却された冷気を冷蔵室１７及び野菜室１９へ送風する冷蔵ファン６２とを収納する冷蔵冷却器室３７が設けられている。また、製氷室２２、上段冷凍室２３及び下段冷凍室２４の後部には、これらの貯蔵室内の空気を冷却する冷凍冷却器６３と冷凍冷却器６３で冷却された冷気を製氷室２２、上段冷凍室２３及び下段冷凍室２４へ送風する冷凍ファン６４とを収納する冷凍冷却器室３８が設けられている。
【００２１】
冷蔵冷却器６１及び冷凍冷却器６３は、断熱箱体１１の背面下部に設けられた機械室３９内に収納された圧縮機６５や凝縮器６６とともに冷凍サイクル６０を構成する。
【００２２】
冷凍サイクル６０は、図３に示すように、高温高圧のガス状の冷媒を吐出する圧縮機６５と、圧縮機６５から吐出されるガス状の冷媒を受けて放熱液化する凝縮器６６と、凝縮器６６の出口側に設けられ冷媒流路を切り換える切替弁６７と、冷蔵冷却器６１及び冷凍冷却器６３と、これらの冷却器６１，６３のための絞り手段としての冷蔵減圧装置６８及び冷凍減圧装置６９と、逆止弁７０とを備え、これらを冷媒パイプによって配管接続することで、圧縮機６５から吐出された冷媒を循環させて冷蔵冷却器６１及び冷凍冷却器６３を冷却する。
【００２３】
冷蔵冷却器室３７は、図２に示すように、冷蔵室１７の背面に設けられた背面ダクト４０に接続されており、冷蔵ファン６２の回転により冷蔵冷却器６１で冷却された空気が、背面ダクト４０の下端から上端へ上方に向けて流れ込み、冷蔵室１７の背面に設けられた吹出口４１から冷蔵室１７内へ吹き出す。冷蔵室１７へ吹き出した空気は、冷蔵室１７内を流れた後、一部が仕切板１６に設けられた吸込口４２から冷蔵冷却器室３７に戻り、他の一部が仕切板１６に穿設された不図示の導入口を通って野菜室１９へ流れ込み野菜室１９内を流れた後、野菜室１９の背面に設けられた吸込口４３から冷蔵冷却器室３７に戻る。
【００２４】
冷蔵冷却器室３７には、冷蔵冷却器６１及び冷蔵ファン６２以外にも、冷蔵室１７及び野菜室１９を循環する空気を除菌及び脱臭する空気浄化ユニット８０が設けられている。
【００２５】
空気浄化ユニット８０は、図４に示すように、フレーム８１と、このフレーム８１の上部と下部に配置された２個の第３発光装置８２と、これら２個の第３発光装置８２間に配置された２枚のフィルタ８３とを備えている。このうち、フィルタ８３は、空気の流通が可能で可視光応答型光触媒８４が担持されている。
【００２６】
可視光応答型光触媒とは、酸化チタン、酸化亜鉛、チタン酸ストロンチウム、酸化タングステンおよび炭化珪素からなる群より選択される少なくとも一種類に、バナジウム、クロム、マンガン、鉄、コバルト、ニッケルおよび銅からなる群より選択される少なくとも一種類の不純物元素をドーパントとして加えたものや、光触媒粒子の表面にハロゲン化白金化合物を含有させて光触媒としたものであって、１〜３６０ｎｍである紫外線の波長で触媒活性を示す通常の光触媒、例えば、最も一般的な光触媒である酸化チタンは２７０ｎｍの紫外線で活性化するのに対して、それより低エネルギーの３６０〜７６０ｎｍの可視光領域の光でも活性化する光触媒であり、例えば、窒素ドープによる酸化チタン可視光応答型光触媒や、白金担持酸化チタンなどが知られている。
【００２７】
上下の２個の第３発光装置８２には、厚さ方向に貫通した貫通孔８５が複数個形成されていて、冷蔵冷却器室３７を流れる冷気が第３発光装置８２に設けられた貫通孔８５を通過する。そして、上側の第３発光装置８２の下面には複数個の光源８６が下向きに設けられ、また、下側の第３発光装置８２の上面にも複数個の光源８６が上向きに設けられている。これら各光源８６は、フィルタ８３に担持した可視光応答型光触媒８４を励起する波長帯の光を含む可視光を発光するもので、例えば、例えばＬＥＤ（発光ダイオード）により構成されている。このような２枚の第３発光装置８２は、可視光応答型光触媒８４を担持したフィルタ８３の上下に間隔をあけつつ光源８６を設けた面をフィルタ８３に向けて配置されている。
【００２８】
冷蔵冷却器室３７の前面（冷蔵室１７側）を区画するカバー４８は、空気浄化ユニット８０に対応する位置に透光部８７が設けられている。透光部８７は、空気浄化ユニット８０に設けられた第３発光装置８２の光源８６からフィルタ８３に照射された可視光を透過することで、光源８６から出射した可視光の一部を冷蔵室１７へ放出する。
【００２９】
冷凍冷却器室３８は、製氷室２２及び上段冷凍室２３の背面に設けられた吹出口４４と、下段冷凍室２４に設けられた吹出口４５及び吸込口４６が接続されている。
【００３０】
そして、冷凍冷却器６３で冷却された空気は、冷凍冷却器室３８内の冷凍ファン６４の回転により、吹出口４４から製氷室２２及び上段冷凍室２３内へ吹き出すとともに、吹出口４４から下段冷凍室２４内へ吹き出す。
【００３１】
吹出口４４から製氷室２２及び上段冷凍室２３内へ吹き出した空気は、製氷室２２及び上段冷凍室２３の内部を冷却しながら流れた後、下段冷凍室２４へ流れ込む。製氷室２２及び上段冷凍室２３から下段冷凍室２４へ流れ込んだ空気は、吹出口４５から下段冷凍室２４へ吹き出した空気とともに下段冷凍室２４内を流れた後、吸込口４６を通って冷凍冷却器室３８に戻る。
【００３２】
断熱箱体１１の背面上部に設けられた制御部４７は、例えばマイクロコンピュータとメモリを備え、図５に示すように、扉センサ２６ａ，２７ａ、２８ａ、２９ａ、３０ａ、湿度センサ３６、冷蔵室温度センサ４９、冷凍室温度センサ５０、冷蔵ファン６２、冷凍ファン６４、圧縮機６５、切替弁６７、第１発光装置２１、第２発光装置３５、及び第３発光装置８２が接続されており、各種センサ２６ａ，２７ａ、２８ａ、２９ａ、３０ａ、３５，４９，５０から入力される検出信号と予めメモリに記憶された制御プログラムに基づいて冷蔵ファン６２、冷凍ファン６４の回転速度や切替弁６７の運転周波数や第１発光装置２１、第２発光装置３５、及び第３発光装置８２に設けられた光源から放出される発光量を制御して冷蔵庫１０の動作全般を制御する。
【００３３】
具体的には、冷蔵室１７及び野菜室１９の冷蔵空間を冷却する場合、制御部４７が、冷凍サイクル６０に設けられた切替弁６７を切り替えて冷蔵冷却器６１に冷媒が流れるようにするとともに、冷蔵ファン６２を運転させる冷蔵モードを実行する。これにより、冷蔵冷却器６１で冷却された空気は、冷蔵室１７及び野菜室１９に送風されこれらの貯蔵室内を冷却する。
【００３４】
一方、下段冷凍室２４等の冷凍空間を冷却する場合には、制御部４７が、冷凍サイクル６０に設けられた切替弁６７を切り替えて冷媒が冷凍冷却器６３に流れるようにするとともに、冷凍ファン６４を運転させる冷凍モードを実行する。これにより、冷凍冷却器６３で冷却された空気は下段冷凍室２４等の冷凍空間に送風され、冷凍空間に設けられた各貯蔵室２２，２３，２４が冷却される。
【００３５】
また、制御部４７は、上記した冷蔵モードの実行中に第３発光装置８２に設けられた光源８６を点灯させてフィルタ８３に担持された可視光応答型光触媒８４を活性化することで、冷蔵冷却器室３７を流れる空気に含まれた臭気成分や細菌などを分解除去する清浄運転を実行する。更に、制御部４７は、扉センサ２６ａで冷蔵室扉２６の開扉状態を検知すると、第１発光装置２１及び第２発光装置３５に設けられた光源を点灯させて冷蔵室１７内を照明する。
【００３６】
そして、上記構成の冷蔵庫１０では、扉センサ２６ａが冷蔵室扉２６の閉扉状態を検知している間に第１発光装置２１、第２発光装置３５、及び第３発光装置８２の光源を点灯させて各発光装置２１，３５，８２に生じる結露を防止する結露防止運転を実行する。
【００３７】
具体的には、本実施形態では、扉センサ２６ａが冷蔵室扉２６の閉扉状態を検知し、かつ、湿度センサ３６で検出される冷蔵庫１０の設置雰囲気の湿度が所定値（例えば、６５％）以上であると、制御部４７は、第１発光装置２１、第２発光装置３５、及び第３発光装置８２に設けられた光源に駆動電源を供給する結露防止運転を実行する。
【００３８】
なお、扉センサ２６ａが冷蔵室扉２６の閉扉状態を検知し、かつ、湿度センサ３６で検出される冷蔵庫１０の設置雰囲気の湿度が所定値以上の場合に、空気浄化ユニット８０が清浄運転を実行していれば、結露防止運転を実行せず清浄運転を優先させて実行する。
【００３９】
結露防止運転では、各発光装置２１、３５，８２の光源から放出される発光量が、通常時、つまり、冷蔵室扉２６の開扉時に第１発光装置２１及び第２発光装置３５から放出される発光量や清浄運転時に第３発光装置８２から放出される発光量より低くなるように、例えば、各発光装置２１，３５，８２に供給される電力が通常時の１０％程度に抑えられている。
【００４０】
発光装置２１，３５，８２に供給される電力を低下させる方法は、特に限定されず、発光装置２１，３５，８２に供給する電圧を通常時に比べて小さくしたり、発光装置２１，３５，８２に供給する電圧を通常時と同程度に設定しＯＮ／ＯＦＦデューティー比を通常時に比べて小さくすることで、発光装置２１，３５，８２に供給する電力を通常時に比べて低下させることができる。
【００４１】
なお、結露防止運転は、扉センサ２６ａが冷蔵室扉２６の閉扉状態を検知し、かつ、湿度センサ３６で検出される冷蔵庫１０の設置雰囲気の湿度が所定値（例えば、６５％）以上の場合に、常に実行し続けても良く、また、所定の周期で結露防止運転の実行と停止を繰り返してもよい。
【００４２】
上記した実施形態によれば、制御部７３は、扉センサ２６ａが冷蔵室扉２６の閉扉状態を検出している間に発光装置２１，３５，８２を点灯させて結露防止運転を実行するため、通電により発光装置２１，３５，８２が加熱され発光装置２１，３５，８２への結露を防止することができる。
【００４３】
特に、第２発光装置３５は、冷蔵室２６の前面開口部に近い位置に設けられており、庫外空気の影響を受けて結露しやすいが、結露防止運転を実行することで第２発光装置３５に生じる結露を抑えることができる。
【００４４】
また、結露防止運転は、既存の発光装置２１，３５，８２に供給する駆動電源を制御するだけで実行することができヒータなどの新たな部材を必要としないため、製造コストを抑えることができる。
【００４５】
更に、本実施形態では、湿度センサ３６で検出される冷蔵庫１０の設置雰囲気の湿度が所定値以上となり結露が生じやすい場合に結露防止運転を実行して発光装置２１，３５，８２への結露を防止することができるとともに、設置雰囲気の湿度が所定値未満で結露が生じにくい場合に不必要に発光装置２１，３５，８２が加熱されることがなく電力消費量を抑えることができる。
【００４６】
（変更例１）
上記した実施形態では、湿度センサ３６で検出される冷蔵庫１０の設置雰囲気の湿度が所定値以上であると、発光装置２１，３５，８２に駆動電源を供給して結露防止運転を実行する場合について説明したが、湿度センサ３６で検出される湿度に関わらず、扉センサ２６ａが冷蔵室扉２６の閉扉状態を検知している間に結露防止運転を実行してもよい。
【００４７】
例えば、扉センサ２６ａが冷蔵室扉２６の閉扉状態を検知し、かつ、冷蔵冷却器６１の除霜運転中に発光装置２１，３５，８２に駆動電源を供給して結露防止運転を実行してもよい。
【００４８】
つまり、冷蔵庫１０では、冷蔵モードを実行した時間の積算値が所定時間に達する等の所定の除霜開始条件を満たすと、制御部４７が、圧縮機６５を停止させつつ冷蔵ファン６２を回転駆動する除霜運転を実行する。この除霜運転では、冷蔵室１７及び野菜室１９の空気を冷蔵冷却器室３７に取り込み冷蔵冷却器６１へ送風することで、冷蔵冷却器６１に付着した霜を融解及び気化することで、冷蔵冷却器６１の除霜を行いつつ、冷蔵室１７及び野菜室１９の冷却及び加湿を行う。
【００４９】
制御部４７は、上記した除霜運転の実行を開始すると、扉センサ２６ａが冷蔵室扉２６の閉扉状態を検知している間、発光装置２１，３５，８２に駆動電源を供給して結露防止運転を実行する。そして、冷蔵冷却器６１の温度が所定温度に達する等の所定の除霜解除条件を満たすと、制御部４７は、除霜運転を終了し、結露防止運転を終了してもよい。
【００５０】
このような場合、除霜運転により冷蔵室１７が加湿され、発光装置２１，３５，８２に結露が生じやすい場合に結露防止運転を実行して発光装置２１，３５，８２への結露を防止することができる。
【００５１】
なお、この例では、除霜運転として圧縮機６５を停止させつつ冷蔵ファン６２を回転駆動する場合について説明したが、冷蔵冷却器６１を加熱するヒータを設け、当該ヒータの熱により冷蔵冷却器６１の除霜する場合にも、扉センサ２６ａが冷蔵室扉２６の閉扉状態を検知している間、発光装置２１，３５，８２に駆動電源を供給して結露防止運転を実行してもよい。
【００５２】
（変更例２）
上記した実施形態では、結露防止運転時に発光装置２１、３５，８２の光源から放出される発光量が一定の場合について説明したが、湿度センサ３６で検出される湿度が高くなると、結露防止運転中における各発光装置２１，３５，８２における発光量を段階的あるいは連続的に大きくしてもよい。このような場合、発光装置２１，３５，８２の発熱量を冷蔵庫１０の設置雰囲気に即した適切な発熱量に設定することができ、電力消費量を抑えつつ発光装置２１，３５，８２に生じる結露を防止することができる。
【００５３】
（変更例３）
上記した実施形態では、湿度センサ３６で検出される冷蔵庫１０の設置雰囲気の湿度が所定値以上であると、冷蔵庫１０に設けられた全ての発光装置２１，３５，８２について結露防止運転を実行したが、湿度が高いと全ての発光装置２１，３５，８２の結露防止運転を許可し、湿度が低いと複数の発光装置２１，３５，８２の一部について結露防止運転を許可する等、湿度センサ３６で検出される湿度に応じて結露防止運転を実行する発光装置を変更してもよい。その際、貯蔵室の開口部に近い位置に設けられた発光装置ほど、湿度センサ３６で検出される湿度が低くなっても結露防止運転を許可することが好ましい。
【００５４】
例えば、湿度センサ３６で検出された湿度が、第１所定値（例えば、６５％）以上であると、全ての発光装置２１，３５，８２の結露防止運転を許可し、扉センサ２６ａが冷蔵室扉２６の閉扉状態を検知している間、発光装置２１，３５，８２について結露防止運転を実行する。湿度センサ３６で検出される湿度が、第１所定値より小さく第２所定値（例えば、５０％）以上、つまり、５０％以上６５％未満であると、発光装置２１，３５の結露防止運転を許可するが、第３発光装置８２の結露防止運転を禁止し、扉センサ２６ａが冷蔵室扉２６の閉扉状態を検知している間、発光装置２１，３５について結露防止運転を実行する。湿度センサ３６で検出される湿度が、第２所定値より小さく第３所定値（例えば、４０％）以上、つまり、４０％以上５０％未満であると、第２発光装置３５の結露防止運転を許可するが、発光装置２１，８２の結露防止運転を禁止し、扉センサ２６ａが冷蔵室扉２６の閉扉状態を検知している間、発光装置３５について結露防止運転を実行する。更に、湿度センサ３６で検出される湿度が、第３所定値より小さいと、全ての発光装置２１，３５，８２の結露防止運転を禁止し、扉センサ２６ａが冷蔵室扉２６の閉扉状態を検知しても、いずれの発光装置２１，３５，８２においても結露防止運転を実行しない。
【００５５】
貯蔵室の開口部に近い位置に設けられた発光装置ほど庫外空気の影響を受けやすく結露しやすい。つまり、本実施形態では、第２発光装置３５、第１発光装置２１、第３発光装置８２の順番で結露しやすい。上記のように湿度センサ３６で検出される湿度に応じて結露防止運転を実行する発光装置を変更することで、結露しやすい第２発光装置３５について結露防止運転が実行され結露を防止することができるとともに、他の発光装置に比べて結露しにくい第３発光装置８２が不必要に加熱されることがなく電力消費量を抑えることができる。
【００５６】
（変更例４）
上記した実施形態では、扉センサ２６ａが冷蔵室扉２６の閉扉状態を検知し、かつ、湿度センサ３６で検出される冷蔵庫１０の設置雰囲気の湿度が所定値以上の場合に、結露防止運転を実行し続けたり、所定の周期で結露防止運転の実行と停止を繰り返す場合について説明したが、例えば、扉センサ２６ａが所定時間（例えば、３分間）以上継続して冷蔵室扉２６の開放を検出すると、その検出から所定時間、冷蔵室扉２６の開扉時に点灯する発光装置２１、３５について結露防止運転を禁止したり、あるいは、空気浄化ユニット８０の清浄運転が終了してから所定時間、空気浄化ユニット８０に設けられた第３発光装置８２について結露防止運転を禁止してもよい。
【００５７】
このような場合、冷蔵室扉２６の開放に伴い発光装置２１、３５が所定時間継続して駆動され加熱され、空気浄化ユニット８０の清浄運転に伴い第３発光装置８２が所定時間継続して駆動され加熱されており、発光装置２１，３５，８２に結露が生じにくい。そのような場合に不必要に発光装置２１，３５，８２が加熱されることがなく電力消費量を抑えることができる。
【００５８】
（他の実施形態）
上記した実施形態は例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態は、発明の範囲や要旨に含まれると同様に、特許請求の範囲に記載された発明とその均等の範囲に含まれるものである。
【符号の説明】
【００５９】
１０…冷蔵庫、１１…断熱箱体、１２…外箱、１３…内箱、１７…冷蔵室、１９…野菜室、２０…凹部、２１…発光装置、２５…ヒンジ、２６…冷蔵室、２６…冷蔵室扉、２６ａ…扉センサ、３１…外板、３２…内板、３３…スロート部、３５…発光装置、３６…湿度センサ、３７…冷蔵冷却器室、３８…冷凍冷却器室、４７…制御部、４８…カバー、６０…冷凍サイクル、６１…冷蔵冷却器、６２…冷蔵ファン、６３…冷凍冷却器、６４…冷凍ファン、６５…圧縮機、６６…凝縮器、７３…制御部、８０…空気浄化ユニット、８１…フレーム、８２…発光装置、８３…フィルタ、８４…可視光応答型光触媒、８５…貫通孔、８６…光源、８７…透光部
【図１】
2017072316.tif 000003
【図２】
2017072316.tif 000004
【図３】
2017072316.tif 000005
【図４】
2017072316.tif 000006
【図５】
2017072316.tif 000007